(57)【要約】  本発明は、物体を撮像するための装置に関する。Ｘ線検出器２０の第１のエリアＡ、Ａ１、Ａ２、Ａ３、Ａ４、Ａ５、Ａ６、Ａ７、Ａ８の第１のピクセルの少なくとも一部分によって、少なくとも１つのＸ線供給源３０によって放出される第１の放射線を受け取ること（１１０）が説明されている。Ｘ線検出器は、ピクセルによって受け取られるＸ線放射がそのピクセルの中の信号の発生につながるように構成されている。複数の第１のピクセル上の対応する信号を表す複数の第１の信号が、第１のエリアに関連付けられた少なくとも１つの第１の複数のストレージノードの中に記憶される（１２０）。少なくとも１つのＸ線供給源３０によって放出される第２の放射線は、Ｘ線検出器の第２のエリアＢ、Ｂ１、Ｂ２、Ｂ３、Ｂ４、Ｂ５、Ｂ６、Ｂ７、Ｂ８；Ｃの第２のピクセルの少なくとも一部分によって受け取られる（１５０）。複数の第２のピクセル上の対応する信号を表す複数の第２の信号が、第２のエリアに関連付けられた少なくとも１つの第２の複数のストレージノードの中に記憶される（１９０）。
2019508133.tif 000002
【特許請求の範囲】
【請求項１】
物体を撮像するための装置であって、前記装置は、
Ｘ線検出器と、
少なくとも１つのＸ線供給源と
を含み、
前記少なくとも１つのＸ線供給源は、前記少なくとも１つのＸ線供給源と前記Ｘ線検出器との間の領域の少なくとも一部が、物体を収容するための検査領域となるように、前記Ｘ線検出器に対して位置決めされており、
前記Ｘ線検出器は、複数のＸ線放射検出エリアを含み、前記複数のＸ線検出エリアは、複数の第１のピクセルを含む第１のエリアと、複数の第２のピクセルを含む第２のエリアとを含み、
前記少なくとも１つのＸ線供給源によって放出される第１の放射線は、前記第１のピクセルの少なくとも一部分によって受け取り可能であり、前記少なくとも１つのＸ線供給源によって放出される第２の放射線は、前記第２のピクセルの少なくとも一部分によって受け取り可能であり、前記第１の放射線は、放射線のパルスであり、前記第２の放射線は、前記第１の放射線とは異なる放射線のパルスであり、前記Ｘ線検出器は、ピクセルによって受け取られるＸ線放射がそのピクセルの中の信号の発生につながるように構成されており、
前記Ｘ線検出器は、前記第１のエリアに関連付けられている少なくとも１つの第１の複数のストレージノードと、前記第２のエリアに関連付けられている少なくとも１つの第２の複数のストレージノードとを含み、前記少なくとも１つの第１の複数のストレージノードは、前記複数の第１のピクセル上の対応する信号を表す複数の第１の信号を記憶し、前記少なくとも１つの第２の複数のストレージノードは、前記複数の第２のピクセル上の対応する信号を表す複数の第２の信号を記憶し、
前記少なくとも１つの第１の複数のストレージノードが前記複数の第１の信号を記憶した後に、前記少なくとも１つの第２の複数のストレージノードは、前記複数の第２の信号を記憶し、
前記Ｘ線検出器は、少なくとも１つのリセットを含み、前記少なくとも１つのリセットは、前記複数の第１のピクセルをリセットし、また、前記複数の第２のピクセルをリセットし、前記少なくとも１つのリセットが前記複数の第２のピクセルをリセットする前に、前記少なくとも１つのＸ線供給源によって放出される前記第１の放射線が第１のピクセルの前記一部分によって受け取り可能であるように、前記Ｘ線検出器が構成されており、また、前記少なくとも１つのＸ線供給源によって放出される前記第２の放射線が第２のピクセルの前記一部分によって受け取り可能である前に、前記少なくとも１つのリセットが前記複数の第２のピクセルをリセットするように、前記Ｘ線検出器が構成されている、装置。
【請求項２】
前記Ｘ線検出器は、前記少なくとも１つの第１の複数のストレージノードに関連付けられた少なくとも１つの第１の読み出しと、前記少なくとも１つの第２の複数のストレージノードに関連付けられた少なくとも１つの第２の読み出しとを含み、前記少なくとも１つの第１の読み出しは、前記複数の第１の信号を読み出し、前記少なくとも１つの第２の読み出しは、前記複数の第２の信号を読み出し、前記複数の第１の信号の読み出しが終了する前に、前記少なくとも１つのＸ線供給源によって放出される前記第２の放射線が第２のピクセルの前記一部分によって受け取り可能であるように、前記Ｘ線検出器が構成されている、請求項１に記載の装置。
【請求項３】
前記少なくとも１つのリセットが前記複数の第１のピクセルをリセットする前に、前記少なくとも１つのＸ線供給源によって放出される前記第２の放射線が第２のピクセルの前記一部分によって受け取り可能であるように、前記Ｘ線検出器が構成されており、また、前記少なくとも１つのＸ線供給源によって放出される第３の放射線が第１のピクセルの前記一部分によって受け取り可能である前に、前記少なくとも１つのリセットが前記複数の第１のピクセルをリセットするように、前記Ｘ線検出器が構成されている、請求項１又は２に記載の装置。
【請求項４】
前記複数の第２の信号の読み出しが終了する前に、前記少なくとも１つのＸ線供給源によって放出される前記第３の放射線が第１のピクセルの前記一部分によって受け取り可能であるように、前記Ｘ線検出器が構成されている、請求項２に従属する請求項３に記載の装置。
【請求項５】
物体を撮像するためのＸ線検出器であって、前記Ｘ線検出器は、複数のＸ線放射検出エリアを含み、前記複数のＸ線検出エリアは、複数の第１のピクセルを含む第１のエリアと、複数の第２のピクセルを含む第２のエリアとを含み、
少なくとも１つのＸ線供給源によって放出される第１の放射線は、前記第１のピクセルの少なくとも一部分によって受け取り可能であり、前記少なくとも１つのＸ線供給源によって放出される第２の放射線は、前記第２のピクセルの少なくとも一部分によって受け取り可能であり、前記第１の放射線は、放射線のパルスであり、前記第２の放射線は、前記第１の放射線とは異なる放射線のパルスであり、前記Ｘ線検出器は、ピクセルによって受け取られるＸ線放射がそのピクセルの中の信号の発生につながるように構成されており、
前記Ｘ線検出器は、前記第１のエリアに関連付けられている少なくとも１つの第１の複数のストレージノードと、前記第２のエリアに関連付けられている少なくとも１つの第２の複数のストレージノードとを含み、前記少なくとも１つの第１の複数のストレージノードは、前記複数の第１のピクセル上の対応する信号を表す複数の第１の信号を記憶し、前記少なくとも１つの第２の複数のストレージノードは、前記複数の第２のピクセル上の対応する信号を表す複数の第２の信号を記憶し、
前記少なくとも１つの第１の複数のストレージノードが前記複数の第１の信号を記憶した後に、前記少なくとも１つの第２の複数のストレージノードは、前記複数の第２の信号を記憶し、
前記Ｘ線検出器は、少なくとも１つのリセットを含み、前記少なくとも１つのリセットは、前記複数の第１のピクセルをリセットし、また、前記複数の第２のピクセルをリセットし、前記少なくとも１つのリセットが前記複数の第２のピクセルをリセットする前に、前記少なくとも１つのＸ線供給源によって放出される前記第１の放射線が第１のピクセルの前記一部分によって受け取り可能であるように、前記Ｘ線検出器が構成されており、また、前記少なくとも１つのＸ線供給源によって放出される前記第２の放射線が第２のピクセルの前記一部分によって受け取り可能である前に、前記少なくとも１つのリセットが前記複数の第２のピクセルをリセットするように、前記検出器が構成されている、Ｘ線検出器。
【請求項６】
物体の撮像のための方法であって、前記方法は、
Ｘ線検出器の第１のエリアの第１のピクセルの少なくとも一部分によって、少なくとも１つのＸ線供給源によって放出される第１の放射線を受け取るステップであって、前記第１の放射線は、放射線のパルスであり、前記Ｘ線検出器は、ピクセルによって受け取られるＸ線放射がそのピクセルの中の信号の発生につながるように構成される、ステップａ）と、
前記第１のエリアに関連付けられた少なくとも１つの第１の複数のストレージノードの中に、前記複数の第１のピクセル上の対応する信号を表す複数の第１の信号を記憶するステップｂ）と、
前記ステップａ）の後、及び、ステップｅ）の前に、前記複数の第２のピクセルをリセットするステップｃ）と、
前記ステップａ）の後に、前記Ｘ線検出器の第２のエリアの第２のピクセルの少なくとも一部分によって、前記少なくとも１つのＸ線供給源によって放出される第２の放射線を受け取るステップｅ）であって、前記第２の放射線は、前記第１の放射線とは異なる放射線のパルスである、ステップｅ）と、
前記第２のエリアに関連付けられた少なくとも１つの第２の複数のストレージノードの中に、前記複数の第２のピクセル上の対応する信号を表す複数の第２の信号を記憶するステップｇ）と
を有する、方法。
【請求項７】
前記ステップｂ）の後に、前記少なくとも１つの第１の複数のストレージノードに関連付けられた少なくとも１つの第１の読み出しによって、前記複数の第１の信号を読み出すステップｄ）を有し、
前記ステップｄ）が終了する前に、前記ステップｅ）が開始する、請求項６に記載の方法。
【請求項８】
前記ステップｅ）の後に、前記複数の第１のピクセルをリセットするステップｆ）と、
前記ステップｆ）の後に、前記Ｘ線検出器の前記第１のエリアの第１のピクセルの前記一部分によって、前記少なくとも１つのＸ線供給源によって放出される第３の放射線を受け取るステップｉ）と、
を有する、請求項６又は７に記載の方法。
【請求項９】
前記ステップｇ）の後に、前記少なくとも１つの第２の複数のストレージノードに関連付けられた少なくとも１つの第２の読み出しによって、前記複数の第２の信号を読み出すステップｈ）を有し、
前記ステップｈ）が終了する前に、前記ステップｉ）を開始する、請求項８に記載の方法。
【請求項１０】
前記ステップａ）は、
前記Ｘ線検出器の前記第１のエリアの第１のピクセルの第１のサブ部分によって、Ｘ線供給源によって放出される放射線を受け取るステップａ１）と、
前記Ｘ線検出器の前記第１のエリアの第１のピクセルの第２のサブ部分によって、前記ステップａ１）の前記Ｘ線供給源とは異なるＸ線供給源によって放出される放射線を受け取るステップａ２）とを有し、
前記少なくとも１つの第１の複数のストレージノードは、少なくとも２つの複数のストレージノードを含み、前記ステップｂ）は、
前記第１のエリアに関連付けられた複数のストレージノードの中に、第１のピクセルの前記第１のサブ部分上の対応する信号を表す複数の第１の信号を記憶するステップｂ１）と、
前記第１のエリアに関連付けられた複数のストレージノードの中に、第１のピクセルの前記第２のサブ部分上の対応する信号を表す複数の第１の信号を記憶するステップｂ２）であって、前記ステップｂ２中の前記複数のストレージノードは、前記ステップｂ１中の前記複数のストレージノードとは異なっている、ステップｂ２）と
を有し、
前記ステップｃ）は、
前記ステップａ１）の後に、前記複数の第１のピクセルをリセットし、前記ステップａ２）の後に、前記複数の第２のピクセルをリセットするステップｃ１）を有し、
前記ステップｅ）は、
前記Ｘ線検出器の前記第２のエリアの第２のピクセルの第１のサブ部分によって、Ｘ線供給源によって放出される放射線を受け取るステップｅ１）と、
前記Ｘ線検出器の前記第２のエリアの第２のピクセルの第２のサブ部分によって、前記ステップｅ１）の中の前記Ｘ線供給源とは異なるＸ線供給源によって放出される放射線を受け取るステップｅ２）と
を有し、
前記少なくとも１つの第２の複数のストレージノードは、少なくとも２つの複数のストレージノードを含み、前記ステップｇ）は、
前記第２のエリアに関連付けられた複数のストレージノードの中に、第２のピクセルの前記第１のサブ部分上の対応する信号を表す複数の第２の信号を記憶するステップｇ１）と、
前記第２のエリアに関連付けられた複数のストレージノードの中に、第２のピクセルの前記第２のサブ部分上の対応する信号を表す複数の第２の信号を記憶するステップｇ２）であって、前記ステップｇ２）中の前記複数のストレージノードは、前記ステップｇ１）中の前記複数のストレージノードとは異なっている、ステップｇ２）とを有する、請求項６乃至９のいずれか一項に記載の方法。
【請求項１１】
請求項１乃至４のいずれか一項に記載の装置を制御するためのコンピュータープログラムであって、前記コンピュータープログラムは、プロセッサーによって実行されるときに、請求項６乃至１０のいずれか一項に記載の方法を実施する、コンピュータープログラム。
【請求項１２】
請求項１１に記載のコンピュータープログラムを記憶した、コンピューター可読媒体。
【発明の詳細な説明】
【技術分野】
【０００１】
本発明は、物体を撮像するための装置、物体を撮像するためのＸ線検出器、並びに、物体を撮像するための方法、並びに、コンピュータープログラムエレメント及びコンピューター可読媒体に関する。
【背景技術】
【０００２】
撮像の中のモーションアーチファクトを最小化するために、異なる視線方向からのビームが、可能な限り時間的に近くで獲得されるべきである。同時の露光は、容認できないクロス散乱を与える可能性がある。第１の露光の検出器読み出しは、第２の露光が起こり得る前に終了されるべきである。これは、第２の露光からのクロス散乱が、読み出されている第１の露光の信号電荷に追加されるからである。他方では、非同時の（又は、続いて起こる）露光は、容認できないモーションアーチファクトにつながる可能性がある。４つの同時のビームを備えた従来の検出器では、全体的な読み出し時間は、検出器を読み出すための時間に露光パルス持続期間を加えたものに等しく、高いクロス散乱に悩まされている。他方では、４つのビームのシーケンシャルな読み出しは、同時のケースに関するものの４倍に等しい全体的な読み出しを必要とし、モーションアーチファクトは、容認できない可能性がある。
【０００３】
米国特許出願公開第２００５／１５７８４１Ａ号明細書は、物体の平面的なセグメントのイメージを発生させるための撮像システムを説明している。撮像システムは、Ｘ線供給源、平面的な検出器、及びコントローラーを含む。Ｘ線供給源は、第１及び第２の供給源ポイントからＸ線を発生させ、第１及び第２の供給源ポイントからのＸ線は、物体を通過する。平面的な検出器は、複数の光検出器を含み、複数の光検出器は、Ｘ線を可視光へ変換するシンチレーション材料の層によってカバーされており、平面的な検出器は、Ｘ線が物体を通過した後に、第１及び第２の供給源ポイントからＸ線を受け取るように位置決めされている。コントローラーは、供給源ポイントのどちらが任意の所与の時間においてＸ線を発生させるかを選択する。コントローラーは、第１のイメージを読み取り、第１のイメージは、第１の供給源ポイントからのＸ線によって形成されており、また、平面的な検出器の第１の部分の中に記憶されており、一方、光検出器の第２の部分は、第２の供給源ポイントからのＸ線を測定する。
【０００４】
米国特許出願公開第２０１３／２４０７１２Ａ号明細書は、放射線撮像装置を説明しており、放射線撮像装置は、撮像ユニットと制御ユニットとを含み、撮像ユニットの中には、複数のピクセルが、複数の行及び複数の列を形成するように配置されており、制御ユニットは、撮像ユニットを制御するように構成されており、複数のピクセルのそれぞれを繰り返して初期化するためのリセット動作を実施するようになっており、また、リセット動作の後に、複数のピクセルのそれぞれからの信号をシーケンシャルに読み出すための読み出し動作を実施するようになっており、リセット動作の１つのサイクル長さは、読み出し動作のために必要とされる時間の期間よりも短くなっており、リセット動作の中で複数のピクセルのそれぞれに供給される信号のパルス幅は、読み出し動作の中で複数のピクセルのそれぞれに供給される信号のパルス幅よりも短くなっている。
【０００５】
米国特許第５４３２３３４Ａ号明細書は、さまざまな撮像技法において使用するための放射線撮像方法及びシステムが、第１及び第２の波長における放射線の供給源を含むということを説明している。第１の放射線ターゲットアレイは、第１の特別な場所において第１の波長から放射線を受け取り、第１の特別な場所のそれぞれにおける放射線の大きさに関連する、第１の放射線ターゲットアレイの中の場所において出力信号のアレイを作り出す。第２の放射線ターゲットアレイは、第２の特別な場所において第２の波長における放射線を受け取り、第２の特別な場所のそれぞれにおける放射線の大きさに関連する、第２の放射線ターゲットアレイの中の場所において出力信号のアレイを作り出す。第１及び第２の出力は、組み合わせられたイメージ信号を作り出すように組み合わせられ、組み合わせられたイメージ信号は、第１の出力又は第２の出力のいずれかの単独によって作り出されるものよりも増加したコントラストを有する。好適な実施形態では、第１及び第２の放射線ターゲットアレイは、アモルファスシリコンアレイを含み、アモルファスシリコンアレイでは、第１及び第２の放射線ターゲットからのセンサーデータが、アレイから同調してクロックされる（ｃｌｏｃｋｅｄ）。
【０００６】
米国特許出願公開第２００５／０１８０６５Ａ号明細書は、イメージピックアップ装置を説明しており、イメージピックアップ装置は、２次元の状態で配置されたピクセルを有するイメージピックアップエレメントを含み、それぞれのピクセルは、光電変換部分と、光電変換部分の中で発生させられる光電変換信号を保持するための第１の保持部分と、ピクセルの中で発生させられるノイズ信号を保持するための第２の保持部分とを備えている。
【０００７】
米国特許出願公開第２００９／２４４３３７Ａ号明細書は、ソリッドステート撮像装置を説明しており、ソリッドステート撮像装置は、光電変換デバイスをそれぞれ含有する複数のピクセルがアレイになるように形成されているピクセルセクションと；ピクセルからの信号のうちのリセット信号及び光信号の一方又は他方を保持するための保持回路と；ＡＤコンバーターとを含み、ＡＤコンバーターは、２つの入力信号端子を有する遅延回路であって、その入力信号端子のうちの一方には、保持回路に保持されている信号が入力され、また、その入力信号端子のうちの他方には、保持回路に保持されていない他方の信号が入力され、前記遅延回路は、遅延デバイスを有しており、遅延デバイスは、前記一方及び他方の入力信号端子に入力された信号の差の範囲に対応する遅延量を走行パルスに与えるために、複数のステージへと接続されている、遅延回路と；パルスの走行位置を所定のタイミングごとにサンプリング及びエンコードし、入力信号同士の間の差に対応するデジタル値を発生させるためのエンコーダーとを含む。
【発明の概要】
【発明が解決しようとする課題】
【０００８】
たとえば、４Ｄ撮像などのための、物体を撮像するための改善された装置を有することが有利である。
【課題を解決するための手段】
【０００９】
本発明の目的は、独立請求項の主題によって解決され、さらなる実施形態が、従属請求項の中に組み込まれている。また、以下の説明されている本発明の態様は、物体を撮像するための装置、物体を撮像するためのＸ線検出器、物体を撮像するための方法、並びに、コンピュータープログラムエレメント及びコンピューター可読媒体にも適用されるということが留意されるべきである。
【００１０】
第１の態様によれば、物体を撮像するための装置であって、前記装置は、
Ｘ線検出器と、
少なくとも１つのＸ線供給源と
を含む、装置が提供される。
【００１１】
少なくとも１つのＸ線供給源は、少なくとも１つのＸ線供給源とＸ線検出器との間の領域の少なくとも一部が、物体を収容するための検査領域となるように、Ｘ線検出器に対して位置決めされるように構成されている。Ｘ線検出器は、複数のＸ線放射検出エリアを含む。複数のＸ線検出エリアは、複数の第１のピクセルを含む第１のエリアと、複数の第２のピクセルを含む第２のエリアとを含む。少なくとも１つのＸ線供給源によって放出される第１の放射線は、第１のピクセルの少なくとも一部分によって受け取り可能であり、少なくとも１つのＸ線供給源によって放出される第２の放射線は、第２のピクセルの少なくとも一部分によって受け取り可能である。Ｘ線検出器は、ピクセルによって受け取られるＸ線放射がそのピクセルの中の信号の発生につながるように構成されている。Ｘ線検出器は、第１のエリアに関連付けられている少なくとも１つの第１の複数のストレージノードと、第２のエリアに関連付けられている少なくとも１つの第２の複数のストレージノードとを含む。少なくとも１つの第１の複数のストレージノードは、複数の第１のピクセル上の対応する信号を表す複数の第１の信号を記憶するように構成されており、少なくとも１つの第２の複数のストレージノードは、複数の第２のピクセル上の対応する信号を表す複数の第２の信号を記憶するように構成されている。少なくとも１つの第１の複数のストレージノードが複数の第１の信号を記憶するように構成された後に、少なくとも１つの第２の複数のストレージノードは、複数の第２の信号を記憶するように構成されている。
【００１２】
換言すれば、装置は、物体を４Ｄ撮像するために使用され得る。ここで、第１の放射線は、少なくとも１つのＸ線供給源によって放出され得る放射線のパルスを意味しており、第２の放射線は、第１の放射線とは異なる、少なくとも１つのＸ線供給源によって放出され得る放射線のパルスを意味している。一例では、第１及び第２の放射線は、異なるＸ線供給源によって放出される。一例では、第１及び第２の放射線は、同じＸ線供給源によって放出され、そのＸ線供給源は、拡張された放出エリアを有しており、アパーチャー及び／又はシャッターが使用されている。一例では、第１及び第２の放射線は、同じＸ線供給源によって放出され、そのＸ線供給源は、第１の放射線の放出のために１つの空間的位置にあり、また、第２の放射線の放出のために第２の空間的位置にある（換言すれば、Ｘ線供給源は、この例では移動可能であり得る）。
【００１３】
このように、単一の検出器は、２つの検出器又は３つ以上の検出器の使用を通して必要とされる利点を提供することが可能であるが、しかし、信号がハンドリングされる様式が、単一の検出器の中にこの機能性を提供し、検出器同士の間にデッドエリアが存在しないという追加された利点を伴い、コスト、サイズ、及び電力消費の低減の追加された利点を伴う。１つだけの検出器を有することによって、システムインテグレーションが改善され得る。
【００１４】
このように、２つのＸ線ビームが検出器の一方のハーフを同時に照射し、それに続いて、２つのＸ線ビームが検出器の第２のハーフを同時に照射する状態で動作するシステムにおいて、クロス散乱は低減され得、動作のサイクル時間は、読み出し時間に等しい。このように、サイクル時間は、ここで、２つの読み出し及び２つの露光時間の総和とは対照的に、２つの露光時間又は１つの読み出し時間のいずれか、どちらか長い方によって支配される。このように、１つのＸ線ビームが検出器の一方のハーフの第１のパートを照射し、それに続いて、第２のＸ線ビームが検出器のその第１のハーフの第２のパートを照射し、それに続いて、第３のＸ線ビームが、検出器の第２のハーフの第１のパートを照射し、それに続いて、第４のＸ線ビームが検出器の第２のハーフの第２のパートを照射する状態で動作するシステムにおいて、クロス散乱はさらに低減され得、動作のサイクル時間は、１つの露光時間プラス１つの読み出し時間に４を掛けたものとは対照的に、読み出し時間の２倍に等しいか、又は、露光時間（露光の間の読み出し時間）の４倍であるか、どちらか長い方である。したがって、２つのＸ線ビームが検出器の一方のハーフを同時に照射し、次いで、検出器の他方のハーフを同時に照射するケースに関して、サイクルレートはより遅くなるが、その利点は、散乱が少なくなり、したがって、より良好な信号対ノイズ比となり、また、特定の状況では、たとえば、Ｘ線放射のパルスがシーケンシャルに受け取られるときには、クロス散乱が全くないことさえもあるということである。６つのＸ線ビームが、クロス散乱が低減された状態で検出器を照射し、動作のサイクル時間は、読み出し時間の３倍（又は、上記に議論されているように露光時間の６倍、のいずれか長い方）であり、８つのＸ線ビームが、クロス散乱が低減された状態で検出器を照射し、ここで、それらの８つのＸ線ビームのうち、第１のペアのビームが検出器を同時に照射し、第２のペアのビームが検出器を同時に照射し、残りの４つのＸ線ビームが異なる時間に検出器を照射することによって、さらなる照射可能性が実現され得、動作のサイクル時間は、読み出し時間の３倍に等しいか、又は、サイクル時間は、このケースでは、６つの露光時間プラス１つの読み出し時間であるか、いずれか長い方である。
【００１５】
換言すれば、検出器は、半分に区分され得、それらの半分は、さらに半分に区分されており、過剰なフレキシビリティーを提供し、ここでは、露光が、時間的に分離され、クロス散乱の影響を低減及び／又は回避することが可能であり、一方、検出器の半分は、依然として一緒に読み出され得、また、検出器の一方のハーフが照射されている間に、他方のハーフが読み出され得る。
【００１６】
このように、フレームトランスファーが検出器の異なるパートに適用される状態で動作する検出器を利用する装置が提供され、検出器の一方のパートのデータの読み出しは、検出器の別のパートの同時の照射に沿って可能になる。
【００１７】
フレームトランスファーは、以下のように説明され得る。ピクセルの中に収集された信号は、（リセット又は新しい信号収集のような）任意の他の動作が信号を破壊する前に、読み出されるか又は記憶されなければならない。読み出しフェーズが比較的に長い時間を要するときには、ピクセルの中のストレージノードの上にピクセル信号を記憶することが有益である可能性がある。ストレージノードの上にピクセル信号を記憶することは、通常は、いわゆるサンプルアンドホールド回路によって行われる。コピープロセスが完了したときに、オリジナル信号は破壊され得る。ピクセル信号（電荷）をストレージキャパシターに転送することも可能である。ここで、異なる検出器区分化スキームに関して適用されるように、フレームトランスファーは、ピクセルの中の１つ又は複数のストレージノードにピクセル信号をコピー又は転送するために使用され、後の時間に、信号が読み出されることを可能にする。
【００１８】
第１の例によれば、Ｘ線検出器は、少なくとも１つのリセットを含み、少なくとも１つのリセットは、複数の第１のピクセルをリセットするように構成されており、また、複数の第２のピクセルをリセットするように構成されている。少なくとも１つのリセットが複数の第２のピクセルをリセットする前に、少なくとも１つのＸ線供給源によって放出される第１の放射線が第１のピクセルの一部分によって受け取り可能であるように、Ｘ線検出器が構成されている。また、少なくとも１つのＸ線供給源によって放出される第２の放射線が第２のピクセルの一部分によって受け取り可能である前に、少なくとも１つのリセットが複数の第２のピクセルをリセットするように、検出器が構成されている。
【００１９】
換言すれば、検出器の第１のエリア（これは、第１のピクセルを有している）が照射され得る。次いで、リセットが、検出器の第２のエリア（これは、第２のピクセルを有している）に適用され得る。このように、第２のエリアの中の任意のクロス散乱信号が消去され得る。次いで、第２のエリアが照射され得、正確な信号が獲得されることを可能にする。また、（第１のエリアの）第１のピクセルの中に発生させられる信号が、少なくとも１つの複数のストレージノード（たとえば、サンプルアンドホールド回路）の中に記憶され得るので、リセットが、検出器の１つのパートに適用され得、一方、サンプルアンドホールドフェーズが検出器の別のパートに適用された状態になっている。したがって、これは、検出器の別のパートが照射されている間に、信号が検出器の一方のパートから読み出されることを可能にする。
【００２０】
一例では、Ｘ線検出器は、少なくとも１つの第１の複数のストレージノードに関連付けられた少なくとも１つの第１の読み出しと、少なくとも１つの第２の複数のストレージノードに関連付けられた少なくとも１つの第２の読み出しとを含む。少なくとも１つの第１の読み出しは、複数の第１の信号を読み出すように構成されており、少なくとも１つの第２の読み出しは、複数の第２の信号を読み出すように構成されている。複数の第１の信号の読み出しが終了する前に、少なくとも１つのＸ線供給源によって放出される第２の放射線が第２のピクセルの一部分によって受け取り可能であるように、検出器が構成されている。
【００２１】
一例では、少なくとも１つのリセットが複数の第１のピクセルをリセットする前に、少なくとも１つのＸ線供給源によって放出される第２の放射線が第２のピクセルの一部分によって受け取り可能であるように、Ｘ線検出器が構成されており、また、少なくとも１つのＸ線供給源によって放出される第３の放射線が第１のピクセルの一部分によって受け取り可能である前に、少なくとも１つのリセットが複数の第１のピクセルをリセットするように、Ｘ線検出器が構成されている。
【００２２】
換言すれば、第１の供給源（又は、アパーチャー及び／若しくはシャッター又は移動式供給源によって拡張されたもの）によって、検出器の第１のエリア（これは、第１のピクセルを有している）が照射され得る。次いで、リセットが、検出器の第２のエリア（これは、第２のピクセルを有している）に適用され得る。このように、第１のエリアの照射に起因する、第２のエリアの中の任意のクロス散乱信号が消去され得る。次いで、第２の供給源（又は、アパーチャー及び／若しくはシャッター又は移動式供給源によって拡張されたもの）によって、第２のエリアが照射され得、正確な信号が獲得されることを可能にする。また、（第１のエリアの）第１のピクセルの中に発生させられる信号が、少なくとも１つの複数のストレージノード（たとえば、サンプルアンドホールド回路）の中に記憶され得るので、リセットが、検出器の１つのパートに適用され得、一方、サンプルアンドホールドフェーズが検出器の別のパートに適用された状態になっている。したがって、これは、検出器の第２のエリアが照射されている間に、信号が検出器の第１のエリアから読み出されることを可能にする。検出器の第２のパートの照射は、第１のエリア（これは、第１のピクセルを有している）の中のクロス散乱信号につながることとなる。したがって、リセットを第１のエリアに適用することによって、第２のエリアの照射に起因する、第１のエリアの中の任意のクロス散乱信号が消去され得る。次いで、第１のエリアは、第１の供給源によって（再び）照射され得、正確な信号が獲得されることを可能にする。また、（第２のエリアの）第２のピクセルの中に発生させられる信号は、少なくとも１つの複数のストレージノード（たとえば、サンプルアンドホールド回路）の中に記憶され得るので、リセットが、検出器の第１のエリアに適用され得、一方、サンプルアンドホールドフェーズが検出器の第２のエリアに適用された状態になっている。このように、装置の検出器が、循環的な様式で動作され得、ムービーのような様式で画像を獲得する。
【００２３】
ここで、放射線の第３のパルスは、少なくとも１つのＸ線供給源によって放出され得る放射線のパルスを意味しており、この放射線は、第１の放射線とは異なっており、また、第２の放射線とは異なっている。
【００２４】
一例では、第１及び第３の放射線は、異なるＸ線供給源によって放出される。一例では、第１及び第３の放射線は、同じＸ線供給源によって放出される。一例では、第１及び第２の放射線は、同じＸ線供給源によって放出され、そのＸ線供給源は、第１の放射線の放出のために１つの空間的位置にあり、また、第２の放射線の放出のために第２の空間的位置にあり、Ｘ線供給源は、オリジナル位置に戻り、第３の放射線を放出する（換言すれば、Ｘ線供給源は、この例では移動可能であり得る）。
【００２５】
一例では、複数の第２の信号の読み出しが終了する前に、少なくとも１つのＸ線供給源によって放出される第３の放射線が第１のピクセルの一部分によって受け取り可能であるように、Ｘ線検出器が構成されている。
【００２６】
別の態様では、物体を撮像するためのＸ線検出器が提供される。Ｘ線検出器は、複数のＸ線放射検出エリアを含む。複数のＸ線検出エリアは、複数の第１のピクセルを含む第１のエリアと、複数の第２のピクセルを含む第２のエリアとを含む。少なくとも１つのＸ線供給源によって放出される第１の放射線は、第１のピクセルの少なくとも一部分によって受け取り可能であり、少なくとも１つのＸ線供給源によって放出される第２の放射線は、第２のピクセルの少なくとも一部分によって受け取り可能である。Ｘ線検出器は、ピクセルによって受け取られるＸ線放射がそのピクセルの中の信号の発生につながるように構成されている。Ｘ線検出器は、第１のエリアに関連付けられている少なくとも１つの第１の複数のストレージノードと、第２のエリアに関連付けられている少なくとも１つの第２の複数のストレージノードとを含む。少なくとも１つの第１の複数のストレージノードは、複数の第１のピクセル上の対応する信号を表す複数の第１の信号を記憶するように構成されており、少なくとも１つの第２の複数のストレージノードは、複数の第２のピクセル上の対応する信号を表す複数の第２の信号を記憶するように構成されている。少なくとも１つの第１の複数のストレージノードが複数の第１の信号を記憶するように構成された後に、少なくとも１つの第２の複数のストレージノードは、複数の第２の信号を記憶するように構成されている。Ｘ線検出器は、少なくとも１つのリセットを含み、少なくとも１つのリセットは、複数の第１のピクセルをリセットするように構成されており、また、複数の第２のピクセルをリセットするように構成されている。少なくとも１つのリセットが複数の第２のピクセルをリセットする前に、少なくとも１つのＸ線供給源によって放出される第１の放射線が第１のピクセルの一部分によって受け取り可能であるように、Ｘ線検出器が構成されている。また、少なくとも１つのＸ線供給源によって放出される第２の放射線が第２のピクセルの一部分によって受け取り可能である前に、少なくとも１つのリセットが複数の第２のピクセルをリセットするように、検出器が構成されている。
【００２７】
換言すれば、Ｘ線検出器は、物体を４Ｄ撮像する際に使用され得る。
【００２８】
別の態様によれば、物体の撮像のための方法であって、方法は、
Ｘ線検出器の第１のエリアの第１のピクセルの少なくとも一部分によって、少なくとも１つのＸ線供給源によって放出される第１の放射線を受け取るステップａ）であって、Ｘ線検出器は、ピクセルによって受け取られるＸ線放射がそのピクセルの中の信号の発生につながるように構成されている、ステップａ）と、
第１のエリアに関連付けられた少なくとも１つの第１の複数のストレージノードの中に、複数の第１のピクセル上の対応する信号を表す複数の第１の信号を記憶するステップｂ）と、
ステップａ）の後に、Ｘ線検出器の第２のエリアの第２のピクセルの少なくとも一部分によって、少なくとも１つのＸ線供給源によって放出される第２の放射線を受け取るステップｅ）と、
第２のエリアに関連付けられた少なくとも１つの第２の複数のストレージノードの中に、複数の第２のピクセル上の対応する信号を表す複数の第２の信号を記憶するステップｇ）と
を有する、方法が提供される。
【００２９】
換言すれば、方法は、物体を４Ｄ撮像するために使用され得る。
【００３０】
換言すれば、検出器には、検出器の異なるパートに関して区分されたフレームトランスファーが提供されており、１つのパートに関するフレームトランスファーは、第２のパートに関するフレームトランスファーから独立している。
【００３１】
このように、異なるＸ線ビームが物体を通過する間の時間が最小化され得、検査の間の物体移動の有害な影響の低減につながり、クロス散乱の影響が最小化され得る。
【００３２】
別の言い方をすれば、一例では、第１のＸ線ビームは、物体を通過し、検出器の第１のエリアの第１のパートを照射することが可能である。次いで、第１のストレージノード回路（サンプルアンドホールド回路）の一部が、検出器の第１のエリアの第１のパートのピクセルの上に信号を記憶することが可能である。次いで、第２のＸ線ビームが、物体を通過し、検出器の第１のエリアの第２のパートを照射することが可能である。次いで、第１のストレージノード回路（サンプルアンドホールド回路）の別の一部が、検出器の第１のエリアの第２のパートのピクセルの上に信号を記憶することが可能である。上記に議論されているように、第１のエリアのこの第２のパートは、第１のＸ線ビームからのクロス散乱によって汚染されることとなる。両方の露光が異なるエリアを照射する場合には、このクロス散乱が除去され得る。次いで、検出器の第１のエリアに関連付けられた信号が読み出され得る。しかし、読み出しと同時に、検出器の第２のエリアが照射され得、ここで、第３のＸ線ビームが、物体を通過し、検出器の第２のエリアの第１のパートを照射することが可能である。次いで、第２のストレージノード回路（サンプルアンドホールド回路）の一部が、検出器の第２のエリアの第１のパートのピクセルの上に信号を記憶することが可能である。次いで、第４のＸ線ビームが、物体を通過し、検出器の第２のエリアの第２のパートを照射することが可能である。次いで、第２のストレージノード回路（サンプルアンドホールド回路）の別の一部が、検出器の第２のエリアの第２のパートのピクセルの上に信号を記憶することが可能である。次いで、検出器の第２のエリアに関連付けられた信号が読み出され得、同時に、検出器の第１のエリアの照射が再び開始することが可能である。例では、第１及び第２のＸ線ビームは、同時期に適用され得るが、ここで、単一のストレージノード回路（サンプルアンドホールド回路）が、関連の信号を記憶するように使用され得る。一例では、第３及び第４のＸ線ビームは、同時期に適用され得るが、ここで、単一のストレージノード回路（サンプルアンドホールド回路）が、関連の信号を記憶するように使用され得る。
【００３３】
このように、検出器の別の一部が照射されているのと同時に、検出器の一部が読み出され得る。
【００３４】
このように、良好なイメージ品質（モーションアーチファクト及びクロス散乱が最小化されている）を有する高速撮像が提供される。これは、単一の検出器を備えた幅広い角度の２次元の供給源構成の中で利用され得、また、４Ｄ撮像のために使用され得る。
【００３５】
別の言い方をすれば、すべてのＸ線ビームが同じ検出器エリアを使用するわけではないので、第１のビームに関連付けられた情報は、１つの（又は、いくつかの）サブフレームトランスファーの中に記憶され得、それの直後に、第２のビームなどが続く。検出器エリア（必ずしも検出器全体ではない）が露光されると（及び、すべての情報が安全に記憶されると）、検出器エリアが読み出され得る。特定のサブエリアだけが露光され得、検出器全体が、情報を含有する検出器のすべて又はその一部だけのいずれかを読み出す。
【００３６】
本方法のこの態様によれば、方法は、
ステップａ）の後、及び、ステップｅ）の前に、複数の第２のピクセルをリセットするステップｃ）を有する。
【００３７】
換言すれば、リセットは、検出器の１つのパートに適用され得、一方、サンプルアンドホールドフェーズが検出器の別のパートに適用された状態になっている。リセット及びサンプルアンドホールドの両方は、特定の量の時間を要し、このように、装置の動作は、スピードアップされる。
【００３８】
このように、鼓動する心臓などのような物体の多数のビューが、さまざまなサブエリアの中に検出器エリアが区分されていることを通して、モーションアーチファクトが最小化された状態で、及び、クロス散乱が低減又は回避された状態で提供され得、それによって、それぞれのサブエリアは、それ自身のサブフレームトランスファーを有することが可能であり、それ自身のリセットを有することが可能であり、また、それ自身のサブフレーム読み出しを有することが可能である。
【００３９】
一例では、複数の第２のピクセルをリセットすることは、複数の第１のピクセルもリセットする。
【００４０】
換言すれば、グローバルリセットが検出器を横切って適用され得、それによって、区分されたリセットを有することを必要としない簡単化されたデバイスにつながる。
【００４１】
一例では、方法は、
ステップｂ）の後に、少なくとも１つの第１の複数のストレージノードに関連付けられた少なくとも１つの第１の読み出しによって、複数の第１の信号を読み出すステップｄ）を有し、
ステップｄ）が終了する前に、ステップｅ）が開始する。
【００４２】
換言すれば、区分されたフレームトランスファーを使用することによって、検出器の第１のパートからの信号が、サンプルアンドホールドの中に獲得及び転送され、又は、コピー（記憶）され得、次いで、即座に、第１のパートに関連付けられたサンプルアンドホールドが読み出されている間に、検出器の第２のパートが照射され得る。このように、４Ｄ撮像などのような撮像のために使用可能な検出器を獲得及び読み出すためにかかる時間が低減される。
【００４３】
別の言い方をすれば、一例では、フレームトランスファーを備えた検出器は、上側パネルハーフＡ及び下側パネルハーフＢに区分されている（デュアルブロックフレームトランスファー）。Ａの一部が露光され得、Ａの露光が終了し、データがサンプルアンドホールドの中に安全に記憶されると、即座に、サンプルアンドホールドからのＡの読み出しが開始することが可能であり、同時に、Ｂのリセットが、Ａの照射の間に引き起こされるクロス散乱を排除するために使用され、それに続いて、Ｂが露光され得る。Ａの読み出しが終了し、露光Ｂが終了し、サンプルアンドホールドの中に安全に記憶されると、Ａのリセットが使用され得、それに続いて、Ａが再び露光され得る。例では、検出器パネルは、より多くのサブエリアに区分され得、サブエリアは、それに対応して、適用され得るスイッチングスキームに関してより多くの可能性を与える。
【００４４】
例では、方法は、
ステップｅ）の後に、複数の第１のピクセルをリセットするステップｆ）と、
ステップｆ）の後に、Ｘ線検出器の第１のエリアの第１のピクセルの一部分によって、少なくとも１つのＸ線供給源によって放出される第３の放射線を受け取るステップとｉ）を有する。
【００４５】
換言すれば、リセットは、検出器の１つのパートに適用され得、一方、サンプルアンドホールドフェーズが検出器の別のパートに適用された状態になっている。リセット及びサンプルアンドホールドの両方は、特定の量の時間を要し、このように、装置の動作は、スピードアップされる。
【００４６】
一例では、方法は、
ステップｇ）の後に、少なくとも１つの第２の複数のストレージノードに関連付けられた少なくとも１つの第２の読み出しによって、複数の第２の信号を読み出すステップｈ）を有し、
ステップｈ）が終了する前に、ステップｉ）を開始する。
【００４７】
一例では、方法は、以下を含む。
ステップａ）は、
Ｘ線検出器の第１のエリアの第１のピクセルの第１のサブ部分によって、Ｘ線供給源によって放出される放射線を受け取るステップａ１）と、
Ｘ線検出器の第１のエリアの第１のピクセルの第２のサブ部分によって、ステップａ１）のＸ線供給源とは異なるＸ線供給源によって放出される放射線を受け取るステップａ２）とを有し、
少なくとも１つの第１の複数のストレージノードは、少なくとも２つの複数のストレージノードを含み、
ステップｂ）は、
第１のエリアに関連付けられた複数のストレージノードの中に、第１のピクセルの第１のサブ部分上の対応する信号を表す複数の第１の信号を記憶するステップｂ１）と、
第１のエリアに関連付けられた複数のストレージノードの中に、第１のピクセルの第２のサブ部分上の対応する信号を表す複数の第１の信号を記憶するステップｂ２）であって、ステップｂ２）中の複数のストレージノードは、ステップｂ１）中の複数のストレージノードとは異なっている、ステップｂ２）と
を有し、
ステップｃ）は、
ステップａ１）の後に、複数の第１のピクセルをリセットし、ステップａ２）の後に、複数の第２のピクセルをリセットするステップｃ１）を有し、
ステップｅ）は、
Ｘ線検出器の第２のエリアの第２のピクセルの第１のサブ部分によって、Ｘ線供給源によって放出される放射線を受け取るステップｅ１）と、
Ｘ線検出器の第２のエリアの第２のピクセルの第２のサブ部分によって、ステップｅ１）中のＸ線供給源とは異なるＸ線供給源によって放出される放射線を受け取るステップｅ２）とを有し、
少なくとも１つの第２の複数のストレージノードは、少なくとも２つの複数のストレージノードを含み、
ステップｇ）は、
第２のエリアに関連付けられた複数のストレージノードの中に、第２のピクセルの第１のサブ部分上の対応する信号を表す複数の第２の信号を記憶するステップｇ１）と、
第２のエリアに関連付けられた複数のストレージノードの中に、第２のピクセルの第２のサブ部分上の対応する信号を表す複数の第２の信号を記憶するステップｇ２）であって、ステップｇ２）中の複数のストレージノードは、ステップｇ１）中の複数のストレージノードとは異なっている、ステップｇ２）と
を有する。
【００４８】
別の態様によれば、以前に説明されている装置を制御するコンピュータープログラムエレメントであって、コンピュータープログラムエレメントは、コンピュータープログラムエレメントが処理ユニットによって実行される際に、以前に説明されているような方法のステップを実施するように適合されている、コンピュータープログラムエレメントが提供される。
【００４９】
別の態様によれば、以前に説明されているようなコンピューターエレメントを記憶するコンピューター可読媒体が提供される。
【００５０】
有利には、上記の態様のうちのいずれかによって提供される利益は、他の態様のすべてに等しく適用され、その逆もまた同様である。
【００５１】
上記の態様及び例は、以降に説明されている実施形態から明らかになることとなり、また、以降に説明されている実施形態を参照して解明されることとなる。
【００５２】
例示的な実施形態は、以下の図面を参照して、以下に説明されることとなる。
【図面の簡単な説明】
【００５３】
【図１】物体を撮像するための装置の例の概略セットアップを示す図である。
【図２】物体を撮像する際に使用され得る検出器の概略ダイアグラム及び関連のタイミングダイアグラムを示す図である。
【図３】物体を撮像するための装置の概略ダイアグラムを示す図である。
【図４】物体を撮像するための方法を示す図である。
【図５】物体を撮像するための検出器の概略ダイアグラム及び関連のタイミングダイアグラムを示す図である。
【図６】物体を撮像するための検出器の概略ダイアグラム及び関連のタイミングダイアグラムを示す図である。
【図７】物体を撮像するための検出器の概略ダイアグラム及び関連のタイミングダイアグラムを示す図である。
【図８】物体を撮像するための検出器の概略ダイアグラム及び関連のタイミングダイアグラムを示す図である。
【図９】物体を撮像するための検出器の概略ダイアグラム及び関連のタイミングダイアグラムを示す図である。
【図１０】物体を撮像するために使用される検出器に関するグループ割り当ての概略的な例を示す図である。
【図１１】物体を撮像するための装置の物体を通過するＸ線ビームの概略図である。
【図１２】物体を撮像するための検出器の一部に関するフレームトランスファー機能性の例の部分的な配置の回路概略ダイアグラムを示す図である。
【発明を実施するための形態】
【００５４】
図１は、物体を撮像するための装置の例を示しており、また、「クロス散乱」の意味するところを示している。装置は、３つのＸ線供給源Ａ’、Ｂ’、及びＣ’を有しており、対応するＸ線ビームが作り出され、Ｘ線ビームは、撮像されている物体の同じ領域を粗く通過する。３つのＸ線供給源というよりもむしろ、拡張型のＸ線供給源が提供され得、拡張型のＸ線供給源は、適当にシャッターを閉められ、及び／又は開口される。物体は、Ｘ線供給源とＸ線検出器との間に設置されている。供給源Ａ’、Ｂ’、及びＣ’から発生させられるＸ線ビームは、それぞれ、検出器の別々の領域Ａ、Ｂ、及びＣの上に当たる。検出器の領域Ａ、Ｂ、及びＣの中の別々のイメージが、知られている様式で、物体の３Ｄイメージを形成するために適当に組み合わせられ得る。次いで、「３Ｄ」は、たとえば、デカルト座標系の中の３つの座標ｘ、ｙ、及びｚ、又は、球面座標系の中の３つの座標ｒ、θ及びρに関係している。ビームが物体を照明した時間期間は、次いで、時間の中の「モーメント」又はスナップショットを提供し、また、４Ｄ撮像の中の第４の次元の「時間」を提供する。しかし、供給源Ｂ’から発生させられ、検出器エリアＢの上に当たるように配置されているＸ線は、特定の量の物体の中の散乱に悩まされることとなり、いくらかのＸ線は、検出器のエリアＡの上に散乱することとなり、また、いくらかのＸ線は、検出器のエリアＣの上に散乱することとなる。これは、クロス散乱と呼ばれており、検出器のそれぞれの領域の中に得られるイメージを悪化させる役割を果たす。次いで、これは、撮像の中の悪化につながることとなる。装置は、物体を４Ｄ撮像するために使用され得る。
【００５５】
図２は、図の上側部分に、検出器の例を示しており、検出器は、物体を撮像する際に使用され得、また、物体を４Ｄ撮像する際に使用され得る。４つのＸ線ビームが、図１を参照して議論されているものと同様の様式で作り出され、これらは、図１の左上側部に示されているように、Ｘ線検出器の４つの別々の領域の上に当たる。４つのＸ線ビームは、検出器が入射Ｘ線から信号を発生させるように構成されているときに、同時に、又は、同じ時間期間にわたって、検出器を照明する。これは、持続期間ｔｐｕｌｓｅを有する「パルス」期間と称される。次いで、検出器上の信号が読み出され、これは、「パネル」期間と称され、「パネル」期間は、パルス期間の後に起こり、持続期間ｔｐａｎｅｌを有している。次いで、撮像を提供するときに、そのような検出器のサイクル時間は、持続期間ｔｐａｎｅｌ＋ｔｐｕｌｓｅを有する時間に等しい。そのような検出器の利点は、すべてのビームが時間の中の同じ瞬間に物体を通過するということであり、したがって、それぞれのビーム照明の間に移動する物体によって引き起こされる相対運動アーチファクトは存在しないこととなる。しかし、図１を参照して上記に議論されているように、イメージは、クロス散乱に悩まされることとなる。
【００５６】
図２は、図の下側部分において、検出器の別の例を示しており、その検出器は、たとえば、４Ｄ撮像のためなどに、物体を撮像する際に使用され得る。上記に議論されている４つのＸ線ビームのうちの２つが、ここで、検出器の一方の半分を照射する。次いで、検出器が読み出される。４つのＸ線ビームのうちの他方の２つのビームが、ここで、検出器の他方の半分を照射し、検出器が読み出される。次いで、撮像を提供するときに、そのような検出器のサイクル時間は、持続期間２ｔｐａｎｅｌ＋２ｔｐｕｌｓｅを有する時間に等しい。そのような検出器の利点は、低減されたクロス散乱が存在するということであり、不利益は、このシーケンスに必要とされる時間が、図２の装置に関するものに対して２倍になるということである。
【００５７】
図３は、たとえば、４Ｄ撮像のためなどに、物体を撮像するための装置１０の例を示している。装置１０は、Ｘ線検出器２０、及び、少なくとも１つのＸ線供給源３０を含む。少なくとも１つのＸ線供給源３０は、Ｘ線検出器２０に対して位置決めされるように構成されており、少なくとも１つのＸ線供給源３０とＸ線検出器２０との間の領域の少なくとも一部が、物体を収容するための検査領域となるようになっている。Ｘ線検出器２０は、複数のＸ線放射検出エリアＡ、Ａ１、Ａ２、Ａ３、Ａ４、Ａ５、Ａ６、Ａ７、Ａ８；Ｂ、Ｂ１、Ｂ２、Ｂ３、Ｂ４、Ｂ５、Ｂ６、Ｂ７、Ｂ８；Ｃを含む。複数のＸ線検出エリアは、複数の第１のピクセルを含む第１のエリアＡ、Ａ１、Ａ２、Ａ３、Ａ４、Ａ５、Ａ６、Ａ７、Ａ８と、複数の第２のピクセルを含む第２のエリアＢ、Ｂ１、Ｂ２、Ｂ３、Ｂ４、Ｂ５、Ｂ６、Ｂ７、Ｂ８；Ｃとを含む。少なくとも１つのＸ線供給源３０によって放出される第１の放射線は、第１のピクセルの少なくとも一部分によって受け取り可能であり、少なくとも１つのＸ線供給源３０によって放出される第２の放射線は、第２のピクセルの少なくとも一部分によって受け取り可能である。Ｘ線検出器２０は、ピクセルによって受け取られるＸ線放射がそのピクセルの中の信号の発生につながるように構成されている。Ｘ線検出器２０は、第１のエリアに関連付けられている少なくとも１つの第１の複数のストレージノードと、第２のエリアに関連付けられている少なくとも１つの第２の複数のストレージノードとを含む。少なくとも１つの第１の複数のストレージノードは、複数の第１のピクセル上の対応する信号を表す複数の第１の信号を記憶するように構成されている。少なくとも１つの第２の複数のストレージノードは、複数の第２のピクセル上の対応する信号を表す複数の第２の信号を記憶するように構成されている。少なくとも１つの第１の複数のストレージノードが複数の第１の信号を記憶するように構成された後に、少なくとも１つの第２の複数のストレージノードは、複数の第２の信号を記憶するように構成されている。
【００５８】
一例では、少なくとも１つのＸ線供給源は、複数のＸ線供給源である。一例では、複数のＸ線供給源は、第１のＸ線供給源及び第２のＸ線供給源を含む。一例では、第１のＸ線供給源によって放出される放射線は、第１のピクセルの少なくとも一部分によって受け取り可能であり、第２のＸ線供給源によって放出される放射線は、第２のピクセルの少なくとも一部分によって受け取り可能である。
【００５９】
換言すれば、一例では、第１の放射線は、１つのＸ線供給源によって放出され、第２の放射線は、別のＸ線供給源によって放出され、又は、別の例では、これらは、同じＸ線供給源によって放出される。
【００６０】
一例では、Ｘ線供給源は、拡張型のＸ線供給源であり、拡張型のＸ線供給源は、たとえば、アパーチャーの使用を通して、異なる空間的位置から放射線を放出するように構成されている。一例では、Ｘ線供給源は移動可能であり、これが異なる空間的位置から放射線を放出するように構成されるようになっている。
【００６１】
一例では、ピクセルの中に発生させられる信号は、電荷である。一例では、少なくとも１つの複数のストレージノードは、少なくとも１つの複数のサンプルアンドホールドである。換言すれば、サンプルアンドホールドは、まさにストレージノードの形態である。一例では、それぞれのピクセルは、それ自身のサンプルアンドホールド（ストレージノード）を有している。一例では、この少なくとも１つの複数のストレージノードの制御は、少なくとも１つの複数のストレージノードを検出器エリアのうちの１つにグループ化する。
【００６２】
一例では、「デュアルブロック」フレームトランスファーは、検出器の別々の半分が交互に露光されるときに、最も効率的に働く。一例では、「クワッドブロック」フレームトランスファーは、過剰なフレキシビリティーを与え、効率的な露光スキームを可能にし、スプリットされた行が、さらにより多くのフレキシビリティーを与える。
【００６３】
一例によれば、Ｘ線検出器２０は、少なくとも１つのリセットを含む。少なくとも１つのリセットは、複数の第１のピクセルをリセットするように構成されており、また、複数の第２のピクセルをリセットするように構成されている。少なくとも１つのリセットが複数の第２のピクセルをリセットする前に、少なくとも１つのＸ線供給源によって放出される第１の放射線が第１のピクセルの一部分によって受け取り可能であるように、検出器は構成されており、また、少なくとも１つのＸ線供給源によって放出される第２の放射線が第２のピクセルの一部分によって受け取り可能である前に、少なくとも１つのリセットが複数の第２のピクセルをリセットするように、検出器は構成されている。
【００６４】
一例では、少なくとも１つのリセットは、複数の第１のピクセルをリセットするように構成されている。
【００６５】
一例では、少なくとも１つのリセットは、それが複数の第２のピクセルをリセットするのと同時に、複数の第１のピクセルをリセットするように構成されている。
【００６６】
一例では、区分されたフレームトランスファーを備えた検出器は、それ自身のフレームトランスファーを備えたパートＡと、それ自身のフレームトランスファーを備えたパートＢとを有している。検出器パートＢが露光される場合には（Ｘ線ビームが、物体、たとえば患者を通り、検出器パートＢに着地し、物体の２Ｄイメージ−イメージＢを与えるということを意味する）、通常は、いくらかのＸ線が、物体の中で又は物体において散乱させられ、検出器エリアＡに着地する。この種類の散乱は、クロス散乱と呼ばれ、ここでは、異なるビームが物体を通り、検出器パートＡに着地する場合に、信号が、検出器パートＢの露光の間に散乱したものによって増大され、イメージＡを悪化させることとなる。しかし、検出器パートＢの露光の後に、及び、検出器パートＡの露光の前に、検出器パートＡは、検出器パートＡだけに適用するリセット、又は、グローバルリセットのいずれかによって、リセットされ得、これは、クロス散乱信号を排除する。
【００６７】
一例によれば、Ｘ線検出器２０は、少なくとも１つの第１の複数のストレージノードに関連付けられた少なくとも１つの第１の読み出し、及び、少なくとも１つの第２の複数のストレージノードに関連付けられた少なくとも１つの第２の読み出しを含む。少なくとも１つの第１の読み出しは、複数の第１の信号を読み出すように構成されており、少なくとも１つの第２の読み出しは、複数の第２の信号を読み出すように構成されている。複数の第１の信号の読み出しが終了する前に、少なくとも１つのＸ線供給源によって放出される第２の放射線が第２のピクセルの一部分によって受け取り可能であるように、Ｘ線検出器は構成されている。
【００６８】
一例によれば、少なくとも１つのリセットが複数の第１のピクセルをリセットする前に、少なくとも１つのＸ線供給源によって放出される第２の放射線が、第２のピクセルの一部分によって受け取り可能であるように、Ｘ線検出器２０は構成されている。また、少なくとも１つのＸ線供給源によって放出される第３の放射線が第１のピクセルの一部分によって受け取り可能である前に、少なくとも１つのリセットが、複数の第１のピクセルをリセットするように、Ｘ線検出器は構成されている。
【００６９】
一例によれば、複数の第２の信号の読み出しが終了する前に、少なくとも１つのＸ線供給源によって放出される第３の放射線が、第１のピクセルの一部分によって受け取り可能であるように、Ｘ線検出器２０は構成されている。
【００７０】
一例では、装置は、物体を表すデータを出力するように構成されている出力ユニットを含む。
【００７１】
一例では、システムは、Ｃ字アーム配置、又は、ＣＴ配置若しくはトモシンセシス配置である。
【００７２】
一例によれば、物体を撮像するためのＸ線検出器２０は、複数のＸ線放射検出エリアＡ、Ａ１、Ａ２、Ａ３、Ａ４、Ａ５、Ａ６、Ａ７、Ａ８；Ｂ、Ｂ１、Ｂ２、Ｂ３、Ｂ４、Ｂ５、Ｂ６、Ｂ７、Ｂ８；Ｃを含む。複数のＸ線検出エリアは、複数の第１のピクセルを含む第１のエリアＡ、Ａ１、Ａ２、Ａ３、Ａ４、Ａ５、Ａ６、Ａ７、Ａ８と、複数の第２のピクセルを含む第２のエリアＢ、Ｂ１、Ｂ２、Ｂ３、Ｂ４、Ｂ５、Ｂ６、Ｂ７、Ｂ８；Ｃとを含む。少なくとも１つのＸ線供給源によって放出される第１の放射線は、第１のピクセルの少なくとも一部分によって受け取り可能であり、少なくとも１つのＸ線供給源によって放出される第２の放射線は、第２のピクセルの少なくとも一部分によって受け取り可能である。Ｘ線検出器は、ピクセルによって受け取られるＸ線放射がそのピクセルの中の信号の発生につながるように構成されている。Ｘ線検出器は、第１のエリアに関連付けられている少なくとも１つの第１の複数のストレージノードと、第２のエリアに関連付けられている少なくとも１つの第２の複数のストレージノードとを含む。少なくとも１つの第１の複数のストレージノードは、複数の第１のピクセル上の対応する信号を表す複数の第１の信号を記憶するように構成されており、少なくとも１つの第２の複数のストレージノードは、複数の第２のピクセル上の対応する信号を表す複数の第２の信号を記憶するように構成されている。少なくとも１つの第１の複数のストレージノードが複数の第１の信号を記憶するように構成された後に、少なくとも１つの第２の複数のストレージノードは、複数の第２の信号を記憶するように構成されている。検出器は、物体を４Ｄ撮像するために使用され得る。
【００７３】
図４は、その基本的なステップの中の物体の撮像のための方法１００の例を示している。方法は、以下のステップを有する。
【００７４】
ステップａ）とも称される受け取りステップ１１０において、少なくとも１つのＸ線供給源３０によって放出される第１の放射線が、Ｘ線検出器２０の第１のエリアＡ、Ａ１、Ａ２、Ａ３、Ａ４、Ａ５、Ａ６、Ａ７、Ａ８の第１のピクセルの少なくとも一部分によって受け取られ、ここで、Ｘ線検出器は、ピクセルによって受け取られるＸ線放射がそのピクセルの中の信号の発生につながるように構成されている。
【００７５】
ステップｂ）とも称される記憶ステップ１２０において、複数の第１のピクセル上の対応する信号を表す複数の第１の信号が、第１のエリアに関連付けられた少なくとも１つの第１の複数のストレージノードの中に記憶される。
【００７６】
ステップａ）の後に、ステップｅ）とも称される受け取りステップ１５０において、少なくとも１つのＸ線供給源３０によって放出される第２の放射線が、Ｘ線検出器の第２のエリアＢ、Ｂ１、Ｂ２、Ｂ３、Ｂ４、Ｂ５、Ｂ６、Ｂ７、Ｂ８；Ｃの第２のピクセルの少なくとも一部分によって受け取られる。ステップｇ）とも称される記憶ステップ１９０において、複数の第２のピクセル上の対応する信号を表す複数の第２の信号が、第２のエリアに関連付けられた少なくとも１つの第２の複数のストレージノードの中に記憶される。
【００７７】
方法１００は、物体を４Ｄ撮像するために使用され得る。一例では、ステップｅ）は、ステップｂ）の後にある。
【００７８】
一例では、Ｘ線検出器は、４つのエリアが設けられており、それぞれが、独立したフレームトランスファーを有している。一例では、検出器には、２×２幾何学形状で、４つのエリアが設けられている。一例では、検出器には、４×１幾何学形状で、４つのエリアが設けられている。一例では、検出器には、ｎ×ｍ幾何学形状で、ｎ×ｍ個のエリアが設けられている。
【００７９】
一例によれば、方法は、以下のステップを有する。
【００８０】
ステップａ）の後及びステップｅ）の前において、ステップｃ）とも称されるリセットステップ１３０において、複数の第２のピクセルがリセットされる。
【００８１】
一例では、ステップｂ）が実行されている間に、及び、ステップｂ）の実行の間に、ステップｃ）の実行が開始される。
【００８２】
一例では、ステップｃ）が実行されている間に、及び、ステップｃ）の実行の間に、ステップｂ）の実行が開始される。
【００８３】
一例では、リセットが、複数の第２のピクセルだけに適用される。換言すれば、リセットは、検出器を横切って区分されている。
【００８４】
一例によれば、複数の第２のピクセルをリセットすることは、複数の第１のピクセルもリセットする。
【００８５】
換言すれば、グローバルリセットは、検出器を横切って適用され得、それによって、区分されたリセットを有することを必要としない簡単化されたデバイスにつながる。
【００８６】
一例によれば、方法は、以下のステップを有する。
【００８７】
ステップｂ）の後に、ステップｄ）とも称される読み出しステップ１４０において、少なくとも１つの第１の複数のストレージノードに関連付けられた少なくとも１つの第１の読み出しによって、複数の第１の信号を読み出し、ここで、ステップｄ）が終了する前にステップｅ）が開始する。
【００８８】
一例では、単一の読み出しは、検出器の第１のエリアに関連付けられた２つ以上のサンプルアンドホールドに関連付けられた信号を読み出すように構成されている。一例では、単一の読み出しは、検出器の第２のエリアに関連付けられた２つ以上のサンプルアンドホールドに関連付けられた信号を読み出すように構成されている。
【００８９】
一例によれば、方法は、以下のステップを有する。
【００９０】
ステップｅ）の後に、ステップｆ）とも称されるリセットステップ１６０において、複数の第１のピクセルがリセットされる、及び、
ステップｆの後に、ステップｉ）とも称される受け取りステップ１８０において、少なくとも１つのＸ線供給源によって放出される第３の放射線が、Ｘ線検出器の第１のエリアの第１のピクセルの一部分によって受け取られる。
【００９１】
一例では、ステップｉ）は、ステップｇ）の後にある。
【００９２】
一例では、ステップｆ）が実行されている間に、及び、ステップｆ）の実行の間に、ステップｇ）の実行が開始される。
【００９３】
一例では、ステップｇ）が実行されている間に、及び、ステップｇ）の実行の間に、ステップｆ）の実行が開始される。
【００９４】
一例では、リセットすることが、複数の第１のピクセルだけに適用される。換言すれば、リセットは、検出器を横切って区分されている。
【００９５】
一例によれば、方法は、以下のステップを有する。
【００９６】
ステップｇ）の後に、ステップｈ）とも称される読み出しステップ１７０において、少なくとも１つの第２の複数のストレージノードに関連付けられた少なくとも１つの第２の読み出しによって、複数の第２の信号を読み出し、ここで、ステップｈ）が終了する前にステップｉ）が開始する。
【００９７】
一例によれば、ステップａ）は、
ａ１）  Ｘ線検出器の第１のエリアの第１のピクセルの第１のサブ部分によって、Ｘ線供給源Ａ１によって放出される放射線を受け取るステップ１１２と、
ａ２）  Ｘ線検出器の第１のエリアの第１のピクセルの第２のサブ部分によって、ステップａ１のＸ線供給源とは異なるＸ線供給源Ａ２によって放出される放射線を受け取るステップ１１４と
を有し、
少なくとも１つの第１の複数のストレージノードは、少なくとも２つの複数のストレージノードを含み、ステップｂ）は、
ｂ１）  第１のエリアに関連付けられた複数のストレージノードＳＨＡ１の中に、第１のピクセルの第１のサブ部分上の対応する信号を表す複数の第１の信号を記憶するステップ１２２と、
ｂ２）  第１のエリアに関連付けられた複数のストレージノードＳＨＡ２の中に、第１のピクセルの第２のサブ部分上の対応する信号を表す複数の第１の信号を記憶するステップ１２４であって、ステップｂ２の中の複数のストレージノードは、ステップｂ１の中の複数のストレージノードとは異なっている、ステップと
を有し、ステップｃ）は、
ｃ１）  ステップａ１）の後に、複数の第１のピクセルをリセットするステップ１３２と、ステップａ２）の後に、複数の第２のピクセルをリセットするステップ１３４とを有し、ステップｅ）は、
ｅ１）  Ｘ線検出器の第２のエリアの第２のピクセルの第１のサブ部分によって、Ｘ線供給源Ｂ１によって放出される放射線を受け取るステップ１５２と、
ｅ２）  Ｘ線検出器の第２のエリアの第２のピクセルの第２のサブ部分によって、ステップｅ１の中のＸ線供給源とは異なるＸ線供給源Ｂ２によって放出される放射線を受け取るステップ１５４と
を有し、少なくとも１つの第２の複数のストレージノードは、少なくとも２つの複数のストレージノードを含み、ステップｇ）は、
ｇ１）  第２のエリアに関連付けられた複数のストレージノードＳＨＢ１の中に、第２のピクセルの第１のサブ部分上の対応する信号を表す複数の第２の信号を記憶するステップ１９２と、
ｇ２）  第２のエリアに関連付けられた複数のストレージノードＳＨＢ２の中に、第２のピクセルの第２のサブ部分上の対応する信号を表す複数の第２の信号を記憶するステップ１９４であって、ステップｇ２の中の複数のストレージノードは、ステップｇ１の中の複数のストレージノードとは異なっている、ステップと
を有する。
【００９８】
一例では、少なくとも１つの第１の読み出しは、複数のストレージノード（サンプルアンドホールド回路）ＳＨＡ１を読み出すように構成されている読み出しＲＯＡ１を含み、また、少なくとも１つの第１の読み出しは、複数のストレージノード（サンプルアンドホールド回路）ＳＨＡ２を読み出すように構成されている読み出しＲＯＡ２を含む。
【００９９】
一例では、リセットは、ステップａ１）とステップａ２）との間に適用される。一例では、リセットは、ステップｅ１）とステップｅ２）との間に適用される。
【０１００】
一例では、少なくとも１つの第２の読み出しは、複数のストレージノード（サンプルアンドホールド回路）ＳＨＢ１を読み出すように構成されている読み出しＲＯＢ１を含み、また、少なくとも１つの第２の読み出しは、複数のストレージノード（サンプルアンドホールド回路）ＳＨＢ２を読み出すように構成されている読み出しＲＯＢ２を含む。
【０１０１】
一例では、リセットは、第１のピクセルの第１のサブ部分に適用することが可能であり、検出器の他のピクセルには適用しないことが可能である。一例では、リセットは、第１のピクセルの第２のサブ部分に適用することが可能であり、検出器の他のピクセルには適用しないことが可能である。一例では、リセットは、第２のピクセルの第１のサブ部分に適用することが可能であり、検出器の他のピクセルには適用しないことが可能である。一例では、リセットは、第２のピクセルの第２のサブ部分に適用することが可能であり、検出器の他のピクセルには適用しないことが可能である。一例では、検出器のうちの１つ、２つ、３つ、又は、すべての４つのエリアが、適用されるリセットを有することが可能であるという点において、すべての他の組み合わせが可能である。換言すれば、検出器の１つのエリアの中のリセットは、検出器の他のエリアの中のから独立して適用され得る。
【０１０２】
ここで、物体を撮像するための装置及び方法の例が、図５〜図１２に関連してより詳細に説明されることとなり、ここでは、検出器が、撮像のための区分されたフレームトランスファーによって使用され、物体のモーションアーチファクト及びクロス散乱の両方を最小化する。装置及び方法の例は、４Ｄ撮像のために使用され得る。
【０１０３】
図５は、デュアルブロックフレームトランスファーを備えた検出器の例を示しており、そこでは、増幅器が使用されており、増幅器は、１つの例では、電圧を読み出すことが可能であり、別の例では、電荷を読み出すことが可能である。換言すれば、出力増幅器（Ａｍｐ）が使用されており、出力増幅器（Ａｍｐ）は、１つの例では、図５に示されているようにチャージセンシティブ増幅器（ＣＳＡ）である。２つのＸ線ビームは、検出器のエリアＡを照明し、フレームトランスファーが、照明の後に適用され、また、２つのＸ線ビームが、検出器のエリアＢを照明し、フレームトランスファーが照明の後に適用される。下側パネル及び上側パネル（それぞれ、エリアＡ及びエリアＢ）に関してフレームトランスファー（及び、リセット）を区分することは、独立したフレームトランスファー及び読み出しを備えた２つのパネル半分を与える。エリアが照明された後に、フレームトランスファーが適用され、フレームトランスファーは、検出器ピクセル上の電荷をサンプルアンドホールドにコピー又は転送し、リセットが適用される。上記に議論されているように、照明の間に、クロス散乱は、検出器の他のエリアが照射に悩まされることにつながることとなる。リセット、複数のリセット、又はワイプが、電荷をクリーニングするか、又は別の方法で検出器の１つ又は複数の他のエリアを、別の放射線ビームに関連付けられた信号の獲得の準備ができた状態にするが、ここでは、クロス散乱信号がない状態になっている。リセットは、グローバルに適用され得、すなわち、すべての検出器エリア、又は、ここで照射されることとなる１つ若しくは複数のエリアに適用され得る。これは、エリアＡが照明された後にエリアＡが読み出されることを可能にし、また、エリアＢが照明された後にエリアＢが読み出されることを可能にする。このように、エリアＡは、読み出され得、その読み出しの間に、エリアＢが照明され得、その逆もまた同様である。個々のパネル読み出しの中で、関連の持続期間は、ｔｐａｎｅｌであり、次いで、４Ｄ撮像などのような撮像を提供するときに、そのような検出器のサイクル時間は、持続期間ｔｐａｎｅｌを有する時間に等しい。これは、フレームトランスファーを備えた２つの別々の検出器が設けられている場合と同じ利点を意味しており、２つの検出器エリア同士の間にギャップが存在しない（中央露光を可能にする）などのようなさらなる利点が提供されており、コンパクトでコスト効率の良い解決策を提供する。
【０１０４】
図６は、デュアルブロックフレームトランスファーを備えた検出器の例を示しているが、８つのビームが、物体を通過している。以下では、検出器エリアのそれぞれの照明の後に、フレームトランスファーが適用される。したがって、２つのビームが、検出器のエリアＡを照明し、フレームトランスファーが適用され、次いで、そのエリアが読み出される。エリアＡの読み出しの間に、２つのビームが、エリアＢを照射し、フレームトランスファーが適用され、次いで、そのエリアが読み出される。エリアＡの一部が、単一のＸ線ビームによって照明され、それに続いて、フレームトランスファーが適用され、エリアＡが読み出され、エリアＡの読み出しの間に、エリアＢが照明され、それに続いて、フレームトランスファーが適用され、エリアＢが読み出される。最後に、エリアＡの一部が、単一のＸ線ビームによって照明され、それに続いて、エリアＢが、単一のＸ線ビームによって照明され、これらのエリアは、フレームトランスファーが適用され、上記に説明されているように読み出される。このように、そのような検出器のサイクル時間は、パネルの読み出し時間の３倍である（３ｔｐａｎｅｌ）。
【０１０５】
図７は、クワッドブロックフレームトランスファーを備えた検出器の例を示しており、４つのビームが物体を通過している。それぞれの照明フェーズの後に、フレームトランスファーが適用される。これは、検出器エリアＡの第１のパートＡ１が照明され得、それに続いて、検出器エリアＡの第２のパートＡ２が照明され得、次いで、検出器エリアＡが読み出されるということを意味している。検出器エリアＡの読み出しの間に、検出器エリアＢの第１のパートＢ１が照明され得、それに続いて、検出器エリアＢの第２のパートＢ２が照明され得、次いで、検出器エリアＢが読み出される。このように、そのような検出器のサイクル時間は、パネルの読み出し時間の２倍である（２ｔｐａｎｅｌ）。また、フレームトランスファーを列のブロックに区分することは、過剰なフレキシビリティーを与える。たとえば、Ａ１及びＡ２の露光は、依然として一緒に読み出され得るが、順序に関して分離され、クロス散乱を低減させるか又はさらには回避することが可能である。デュアルブロックフレームトランスファーは、検出器の上側パネル及び下側パネルが代替的に露光される場合には、最も効率的に働く。クワッドブロックフレームトランスファーは、過剰なフレキシビリティーを与え、追加的な効率的な露光スキームを可能にする。スプリットされた行を使用することは、さらにより多くのフレキシビリティーを与えることが可能であり、区分された読み出しを有する方法を促進させる。また、これは、より一般的なピクセルアドレッシング方法によって行われ得る。一例では、図７の検出器は、スプリットされた行を有している（これは、図９に示されている検出器に関して示されており、ここで、図９に関して、同じ行の中の中間の（Ａ２、Ａ３、Ａ６など）複数の行の中のエリアに到達することが必要とされる）。このように、エリアＡ１は、エリアＡ２とは別々に読み出され得、エリアＢ１は、エリアＢ２とは別々に読み出され得る。これは、その照射の間に、エリアＡ１が読み出され得、エリアＡ２が読み出され得るということを意味している。この検出器に関するサイクル時間は、パネルの読み出し時間（ｔｐａｎｅｌ）に等しい。リセットが、エリアＡ１の照射の後に、及び、次いでエリアＡ２の照射の後に、適用され得、このリセットは、グローバルであり、照射の準備ができた検出器を「クリーニング」するか、又は、ローカルであるかのいずれかであり、エリアＢを照明の準備ができた状態にする。このように、システムアーキテクチャーは、簡単であることが維持されている。又は、エリアＡ１の照射の後に、及び、フレームトランスファーの後に、リセットが適用され得る。これは、繰り返しになるが、グローバルリセットであることが可能であるか、又は、エリアＡ２に適用されることが可能であり、エリアＡ２が、次に照射されることとなり、又は、必要に応じて他のエリアが照射されることとなる。
【０１０６】
図８は、クワッドブロックフレームトランスファーを備えた検出器の例を示しており、６つのビームが、物体を通過している。それぞれの照明フェーズの後に、フレームトランスファーが適用される。これは、検出器エリアＡの第１のパートＡ１が照明され得、それに続いて、検出器エリアＡの第２のパートＡ２が照明され得、次いで、検出器エリアＡが読み出されるということを意味している。検出器エリアＡの読み出しの間に、検出器エリアＢの第１のパートＢ１が照明され得、それに続いて、検出器エリアＢの第２のパートＢ２が照明され得、次いで、検出器エリアＢが読み出される。次いで、エリアＡ１及びＡ２の両方の一部分を含むエリアが照明され得、フレームトランスファーが両方のエリアに適用され、それに続いて、エリアＡが読み出される。読み出しの間に、次いで、エリアＢ１及びＢ２の両方の一部分を含むエリアが照明され得、フレームトランスファーが両方のエリアに適用され、それに続いて、エリアＢが読み出される。このように、そのような検出器のサイクル時間は、パネルの読み出し時間の３倍である（３ｔｐａｎｅｌ）。リセットは、上記に議論されているように動作することが可能である。
【０１０７】
図９は、ｎ×ｍブロックフレームトランスファーを備えた検出器の例を示しており、図９に示されている特定の例は、エリアＡの８つのエリア、及び、エリアＢの８つのエリアを有している。他の数のエリアも可能である。検出器の動作は、図５〜図８を参照して上記に説明されているようなものである。典型的なスイッチングスキームは、以下の通りである。
パネルハーフＡの１つ又は複数の区分を露光する。
露光は、クロス散乱を回避するために、続いて行われるか、又は、モーションアーチファクトを低減させるために、同時に行われることが可能である。
フレームトランスファーブロック（区分）が露光されるとすぐに、信号電荷が、サンプルアンドホールドの中に安全に貯蔵され得る。
パルスは、互いに非常に近く「立て続け（ｂａｃｋ  ｔｏ  ｂａｃｋ）」になっていることが可能である。
パネルハーフＡの読み出し
次いで、同じことが、パネルハーフＢに関して適用され得る。
【０１０８】
図９の下側半分は、スプリットされた行を備えた検出器を示しており、検出器エリアＡが２つ以上のフレームトランスファーを有するようになっている。スプリットされた行を使用することは、さらにより多くのフレキシビリティーを与える。
【０１０９】
概要
説明されている装置及び検出器は、４Ｄ撮像などのような、撮像用途に向けられたものである。これは、３Ｄ患者ボリュームがリアルタイム（第４の次元）で獲得及び表示されるということを意味している。ここで、３Ｄボリュームを再構築することは時間がかかるので、この意味での「リアルタイム」は、「半リアルタイム」を意味しているが、ユーザーは、リアルタイムの動作が提供されているという印象を有する。３Ｄボリュームを生成させるために、異なる角度からのいくつかの露光が、ボリュームを再構築するために必要とされる。１つのボリュームに関するビューを獲得するために必要とされる時間が大き過ぎ、現在の平坦なＸ線検出器は、ボリュームの中にモーションアーチファクトを引き起こす。そのうえ、ボリューム更新レート（ムービーの中のフレームレートに匹敵する）が、手順にとって十分なライブフィードバックを得るには低過ぎる。必要とされる獲得時間を減少させるために、互いの直後に発射するいくつかのＸ線供給源が使用され得る。また、いくつかの（又は、すべての）Ｘ線供給源が同時に発射し、さらに獲得時間を減少させることも可能であり、このケースでは、クロス散乱が問題になることとなる。すべてのこれらの供給源は、いくつかの固定された角度から、４Ｄ撮像だけでなく、トモグラフィック撮像又は従来の２Ｄ撮像も可能にするということが留意されるべきである。
【０１１０】
Ｘ線検出側において、いくつかの検出器が、すべてのＸ線供給源の放射線を獲得するために必要とされる。実際にはこれは、複数の検出器が必要とされ、これは、システムを非現実的に高価なものにすることとなり、また、患者アクセスが限定されることとなるということを意味している。これに対処するために、ここで説明される装置及び検出器は、本質的に、１つの大型の平坦なＸ線検出器を提供し、１つの大型の平坦なＸ線検出器は、いくつかの個々の検出器の機能性を模倣することが可能である。
【０１１１】
現在の平坦なＸ線検出器は、露光されるイメージを読み出すために時間を必要とする。この時間の間に、検出器の他のパーツは照射されることができない。その理由は、イメージコンテンツが変化させられることとなるからである。しかし、検出器にストレージメモリーを提供することによって、イメージは、照射の後に、検出器のメモリー部に転送され得る。次いで、検出器は、以前のイメージコンテンツを乱すことなく、次の照射パルスを即座に受け入れることが可能である。この機能性は、「フレームトランスファー」と呼ばれる。ストレージノードは、ピクセルの中に物理的に設置され得、また、平坦なＸ線検出器の専用部の上に設置され得る。
【０１１２】
検出器は、いくつかの機能性状態を有しており、読み出しストレージノードを有することを含む。
センサーエレメント（フォトダイオード、直接変換材料、フォトンカウンティングピクセル、及び検出器など）上の照射を受け入れ、及び、いくつかのケースでは、統合する。
センサーエレメントからストレージノードへイメージコンテンツを移動させる。
センサーエレメントをリセットする（これは、ポイント２と組み合わせられ得る）。
【０１１３】
検出器内部制御をより容易にするために、上記の３つの機能性が、ピクセルのグループに関して制御され得る。したがって、１つのコマンドによって、イメージコンテンツが、そのグループの中のすべてのピクセルに関して、ストレージノードへ移動させられる（又は、リセットされる）。グループのサイズ及び形状は、平坦なパネル自身の中の配線によって定義されるか、又は、グループアドレスをそれぞれのピクセルに割り当てることによって定義され得る（異なるアドレスがオンザフライでプログラムされ得る）。また、グループが重複することも可能であり、次いで、重複エリアは、両方のグループからのコマンドによって制御されることとなる。ピクセルのグルーピングの例が、図１０に下記に示されている。
【０１１４】
さらなる適用例
フレームトランスファーは、連続的な照射の間に、イメージの中に均等時間ウィンドウを提供する。
【０１１５】
フレームトランスファーは、モノプレーン用途及びバイプレーン用途の間に、より高いフレームレートを可能にする。
【０１１６】
フレームトランスファーは、バイプレーン獲得の間に、立て続けの照射を可能にする。
【０１１７】
図１０は、ピクセルのグループ割り当ての例を示している。ピクセルのグループは、図１０に示されているように設計される場合に、重複していることが可能である。これが意味するものは、たとえば、グループＡが完全な検出器エリアを制御し、グループＢが中間の小さい正方形を制御し、グループＣが円形だけを制御するということである。グループは、より小さくなるように設計され得、したがって、読み出しがより速くなっている。たとえば、「９つのグループ」に関して、エリアは、より速い読み出しのためにより小さくされ、完全な検出器エリアをカバーする１つの大きいグループに重複することが可能である。
【０１１８】
図１１は、たとえば、４Ｄ撮像のためなどに、物体を撮像するために使用され得る装置の代表的な幾何学形状を示している。図１１の左手側に示されている装置では、３つのＸ線供給源３０が、間隔を離して配置されていることが示されており、それらのそれぞれのＸ線ビームが、物体を通過しており、検出器２０のそれぞれの別々のエリアに入射している。このように、ビームは、互いにクロスし、３Ｄ再構築のための情報を与えることが可能である。また、図１１の右手側に示されている装置では、いくつかのＸ線ビームは、平行であることも可能であり、たとえば、図１１の左手側に示されている装置の中の中央のビームが、３つのビームに分割され得る。このように、小さいアノード角度を有するいくつかの供給源を使用する同じ視野（ＦＯＶ）が、大きいアノード角度を有する１つの供給源のＦＯＶとして到達又は実現され得る。この利点は、低減された散乱、及び、より小さいスポットサイズが存在するということである。図１１の右手側に示されている中央のビームの露光は、対応するパネルハーフ（検出器上のビーム重複に起因する）の後続のサイクルの中にあるということが留意されるべきである。図１２は、４Ｄ撮像などのような、物体を撮像する際に使用されることとなる検出器に、どのようにフレームトランスファーが適用され得るかということを説明するために使用されている。フレームトランスファーは、以下のように説明され得る。ピクセルの中に収集された信号は、（リセット又は新しい信号収集のような）任意の他の動作が信号を破壊する前に、読み出されるか又は記憶されなければならない。読み出しフェーズが比較的に長い時間を要するときには、ピクセルの中のストレージノードの上にピクセル信号を記憶することが有益である可能性がある。ストレージノードの上にピクセル信号を記憶することは、通常は、いわゆるサンプルアンドホールド回路によって行われる。コピープロセスが完了したときに、オリジナル信号は破壊され得る。ここでより詳細に議論されるように、ピクセル信号（電荷）をストレージキャパシターに転送することも可能である（図１２のキャパシター４の上で行われるように）。
【０１１９】
図１２は、１つの放射線感受性センサーＳ（検出器のピクセル又は検出器マトリックス）だけを示しており、ｎチャネル電界効果トランジスターが設けられており、そのようなセンサーは米国特許第６８９４２８３号明細書にも説明されている。異なる構造を有する電界効果トランジスターも、本発明のコンテキストにおいて使用され得る。検出器は、知られている様式で、行及び列に配置されている多くの、たとえば２０００×２０００センサーＳから構成されている。上記に議論されているように、区分されたフレームトランスファーが検出器に適用され、しかし、図１２に関連して、フレームトランスファーは、検出器の区分されたパート（たとえば、エリアＡ又はエリアＢが説明されている）に適用されるようなものである。検出器マトリックスの行のそれぞれの第１のセンサーＳは、第１の列を一緒に形成しており、一方、それぞれの行のそれぞれの第２のセンサーは、第２の列を一緒に構成している、などとなっている。それぞれのセンサーＳは、フォトセンサーエレメントを含む。適切な半導体が使用されるときに、フォトセンサーエレメント自身は、すでに、Ｘ線に対して高感度である。しかし、それは、光感受性フォトダイオード１でもあり、光感受性フォトダイオード１は、光感受性フォトダイオード１の上又は上方に配置されているシンチレーター層の上にＸ線が入射するときはいつでも、光を受け取る。シンチレーター層がないときには、配置は、光の直接的な検出にも適切である。フォトダイオード１の端子に平行に、ストレージキャパシター２が接続されている。フォトダイオード１のアノード、及び、ストレージキャパシター２の電極は、共通の電極９に接続されており、共通の電極９は、マイナスのＤＣ電圧でそれをバイアスしている。フォトダイオード１のカソード、及び、ストレージキャパシター２の他方の電極は、制御電界効果トランジスター５のソース端子に接続されている。順番に、制御電界効果トランジスター５のドレイン端子は、スイッチング電界効果トランジスター３のソース端子に接続されている。放射線がフォトダイオード１の上に入射するときに、電荷キャリアペア（電荷）がフォトダイオード１の中に発生させられ、その結果、充電されたストレージキャパシターが部分的に放電される。放電は、フォトダイオード１の上に入射する光子の数に依存する。電界効果トランジスター３、５の導電チャネルを介してそれぞれの電荷欠乏を補償することによって、それぞれのセンサーは、個別に読み出され得る。この目的のために、制御ライン６及びスイッチングライン７が、センサー検出器マトリックスの区分されたパートのそれぞれの行に関して設けられている。スイッチングライン７は、スイッチング電界効果トランジスター３のゲート端子に接続されており、制御ラインは、センサーＳの制御電界効果トランジスター５のゲート端子に接続されている。したがって、スイッチング及び制御ライン６、７は、検出器の関連の行の電界効果トランジスター３を活性化させる。これらは、たとえば、異なるアナログ制御電圧をライン６、７に印加する適切なドライバー回路によって駆動される。ドライバー回路は、その区分されたパートのセンサーＳの中に貯蔵された電荷を読���出すために、センサー区分された検出器の行を連続して活性化させる役割を果たす。読み出しライン８が、検出器マトリックスのそれぞれの列に関して設けられている。すべての読み出しライン８は、関連の列のセンサーのスイッチング電界効果トランジスター３のドレイン端子に接続されている。増幅器１１が、それぞれの読み出しライン８に関連付けられており、増幅器は、個々のセンサーＳの中を行方向に流れる電荷を統合する。アナログマルチプレクサー（図示せず）が増幅器１１に先行しており、アナログマルチプレクサーの入力が、増幅器の出力に接続されている。アナログマルチプレクサーは、検出器マトリックスのそれぞれの時間の１つの行から同時に及び並列に到着する電荷をシリアル信号に変換し、シリアル信号は、アナログマルチプレクサーのシリアル出力の上に提示され、さらに処理されるようになっている。さらなるキャパシター４の電極は、制御電界効果トランジスター５のドレイン端子、及び、スイッチング電界効果トランジスター３のソース端子にそれぞれ接続されており、また、前記さらなるキャパシターの他方の電極４ａは、一般的な電極９、又は、それから独立している一般的な電極にも接続されている。制御電界効果トランジスター５を横切るドレイン電圧を安定化させるために、それぞれのセンサーＳの制御電界効果トランジスター５とスイッチング電界効果トランジスター３との間の接続の中に、１つ又は複数のカスコードトランジスターを挿入することが可能である。
【０１２０】
別の例示的な実施形態では、適当なシステムにおいて、先行する実施形態のうちのいずれかによる方法の方法ステップを実行するように構成されていることを特徴とする、コンピュータープログラム又はコンピュータープログラムエレメントが提供される。
【０１２１】
したがって、コンピュータープログラムエレメントは、コンピューターユニットの上に記憶され、コンピューターユニットは、実施形態の一部であることも可能である。このコンピューティングユニットは、上記に説明されている方法のステップを実施するか、又は、その実施を誘導するように構成されている。そのうえ、コンピューティングユニットは、上記に説明されている装置のコンポーネントを動作させるように構成されている。コンピューティングユニットは、自動的に動作するように、及び／又は、ユーザーの命令を実行するように構成され得る。コンピュータープログラムは、データプロセッサーの作業メモリーの中へロードされる。したがって、データプロセッサーは、先行の実施形態のいずれかによる方法を実施するように装備されている。
【０１２２】
本発明のこの例示的な実施形態は、そもそも初めから本発明を使用するコンピュータープログラムと、アップデートによって、既存のプログラムを、本発明を使用するプログラムに変えるコンピュータープログラムとの両方をカバーする。
【０１２３】
さらに、コンピュータープログラムエレメントは、上記に説明されているような本方法の例示的な実施形態の手順を充足するために必要なすべてのステップを提供することが可能である。
【０１２４】
本発明のさらなる例示的な実施形態によれば、ＣＤ−ＲＯＭなどのようなコンピューター可読媒体が提示され、ここで、コンピューター可読媒体は、その上に記憶されたコンピュータープログラムエレメントを有しており、このコンピュータープログラムエレメントは、先行する章で説明されている。
【０１２５】
コンピュータープログラムは、適切な媒体の上に、たとえば、他のハードウェアと一緒に供給されるか、又は、他のハードウェアの一部として供給される、光学的な記憶媒体又はソリッドステート媒体などの上に、記憶及び／又は分配されてもよいが、また、他の形態で、たとえば、インターネット又は他のワイヤード若しくはワイヤレス電気通信システムなどを介して、分配されてもよい。
【０１２６】
しかし、また、コンピュータープログラムは、ワールドワイドウェブのようなネットワークを介して提供され、そのようなネットワークからデータプロセッサーの作業メモリーの中へダウンロードされ得る。本発明のさらなる例示的な実施形態によれば、コンピュータープログラムエレメントをダウンロードして利用可能なものにするための媒体が提供され、そのコンピュータープログラムエレメントは、以前に説明されている本発明の実施形態のいずれかによる方法を実施するように配置されている。
【０１２７】
本発明の実施形態は、異なる主題を参照して説明されているということが留意されなければならない。とりわけ、いくつかの実施形態は、方法タイプの請求項を参照して説明されており、一方、他の実施形態は、デバイスタイプの請求項を参照して説明されている。しかし、上記の説明及び以下の説明から、別段の通知がない限り、１つのタイプの主題に属する特徴の任意の組み合わせに加えて、異なる主題に関する特徴同士の間の任意の組み合わせも、本願に開示されていると考えられるということを、当業者は推量することとなる。しかし、すべての特徴は、特徴の単純な総和よりも大きな相乗効果を提供するように組み合わせられ得る。
【０１２８】
本発明は、図面及び先述の説明において詳細に図示及び説明されてきたが、そのような図示及び説明は、例示目的のためのもの又は例示的であると考えられるべきであり、限定的なものであると考えられるべきではない。本発明は、開示されている実施形態に限定されない。開示されている実施形態に対する他の変形例が、特許請求されている発明を実施する際に、図面、本開示、及び従属請求項の検討から、当業者によって理解且つ実現され得る。
【０１２９】
特許請求の範囲において、「備える／含む／有する（ｃｏｍｐｒｉｓｉｎｇ）」という用語は、他のエレメント又はステップを除外しておらず、不定冠詞「ａ」又は「ａｎ」は、複数を除外していない。単一のプロセッサー又は他のユニットは、特許請求の範囲に記載されているいくつかのアイテムの機能を充足する。特定の対策が相互に異なる従属請求項に記載されているという単なる事実は、これらの対策の組み合わせが有利に使用できないことを示すものではない。特許請求の範囲の中の任意の参照記号は、特許請求の範囲を限定するものとして解釈されるべきではない。
【図１】
2019508133.tif 000003
【図２】
2019508133.tif 000004
【図３】
2019508133.tif 000005
【図４】
2019508133.tif 000006
【図５】
2019508133.tif 000007
【図６】
2019508133.tif 000008
【図７】
2019508133.tif 000009
【図８】
2019508133.tif 000010
【図９】
2019508133.tif 000011
【図１０】
2019508133.tif 000012
【図１１】
2019508133.tif 000013
【図１２】
2019508133.tif 000014
【国際調査報告】
2019508133.tif 000015
2019508133.tif 000016
2019508133.tif 000017